(57)【特許請求の範囲】
【請求項１】
熱交換器を通過する空気中に含まれる塵埃を捕獲するエアーフィルタと、前記エアーフィルタと対向する面に開口部を有するとともに前記エアーフィルタの表面に沿って移動可能な吸引ノズルと、前記吸引ノズルと連通する吸引装置により構成された塵埃除去装置を備えた空気調和機において、前記吸引ノズルは、前記開口部を覆いつつ前記開口部に沿って移動可能なベルトを備え、前記ベルトに、前記開口部と連通すると共に前記エアーフィルタで捕獲された塵埃を吸引する吸引孔を設け、前記ベルトを駆動するモータを前記吸引ノズル以外の部位に固定し、前記吸引ノズルが所定の位置まで移動したときに前記モータで前記ベルトを駆動するようにしたことを特徴とする空気調和機。
【請求項２】
モータは回転駆動部を有し、吸引ノズル側にベルトを駆動する被回転駆動部を設け、前記回転駆動部と前記被回転駆動部のいずれか一方を多角形軸とし、他方を、前記多角形軸に着脱自在に嵌合する多角形穴としたことを特徴とした請求項１に記載の空気調和機。
【請求項３】
多角形穴の入口部にブラシをつけたことを特徴とした請求項２に記載の空気調和機。
【請求項４】
多角形軸の上方にひさしを設けたことを特徴とした請求項２に記載の空気調和機。
【発明の詳細な説明】
【技術分野】
【０００１】
本発明は、空気調和機に関するもので、特に、空気調和機のフィルタの清掃を自動的に行う塵埃除去装置に関するものである。
【背景技術】
【０００２】
従来のこの種の空気調和機の塵埃除去装置について、図７を用いて説明する。
【０００３】
図７は、従来の空気調和機の塵埃除去装置の斜視図である。図７おいて、従来の空気調和機の塵埃除去装置は、熱交換器（図示せず）を通過する空気の塵埃を吸引すると共にエアーフィルタ２５の表面に沿って白抜き矢印方向に移動可能な吸引ノズル１と、前記吸引ノズル１に連結された吸引装置２を具備し、前記吸引ノズル１は、ノズル部１ａに設けた開口部（図示せず）と、前記開口部を覆いつつ前記開口部に沿って移動可能なベルト（図示せず）と、前記ノズル部１ａに固定されると共に、前記ベルトを駆動するモータ６と、吸引ノズル１と吸引装置２とを連通するホース１２を具備し、前記ベルトには吸引部となる吸引孔（図示せず）が設けられ、前記ベルトを移動することで吸引する場所をかえるようにしたものである。１１は、モータ６に電力を供給するための配線である（例えば、特許文献１参照）。
【特許文献１】特開２００５−６１７４２号公報
【発明の開示】
【発明が解決しようとする課題】
【０００４】
しかしながら、前記従来の空気調和機の構成では、モータ６を吸引ノズル１のノズル部１ａに固定しているので、吸引ノズル１が左右に移動するのに伴い、固定されたモータ６も移動しなければならず、結果として吸引ノズル１の移動距離分に相当する非常に長い配線１１が必要となり、その配線の引き回しも複雑になってコストアップの要因となっていた。更に、吸引ノズル１は、モータ６を取りつけたまま移動するため、モータ６の重量分のトルクが余分に必要であった。
【０００５】
本発明は、前記従来の課題を解決するもので、モータの配線長を短くし、引き回し作業を簡易化すると共に、吸引ノズルを左右に駆動させるためのトルクを低減することができる空気調和機を提供することを目的とする。
【課題を解決するための手段】
【０００６】
前記従来の課題を解決するために、本発明の空気調和機は、熱交換器を通過する空気中に含まれる塵埃を捕獲するエアーフィルタと、前記エアーフィルタと対向する面に開口部を有するとともに前記エアーフィルタの表面に沿って移動可能な吸引ノズルと、前記吸引ノズルと連通する吸引装置により構成された塵埃除去装置を備えた空気調和機において、前記吸引ノズルは、前記開口部を覆いつつ前記開口部に沿って移動可能なベルトを備え、前記ベルトに、前記開口部と連通すると共に前記エアーフィルタで捕獲された塵埃を吸引する吸引孔を設け、前記ベルトを駆動するモータを前記吸引ノズル以外の部位に固定し、前記吸引ノズルが所定の位置まで移動したときに前記モータで前記ベルトを駆動するようにしたもので、吸引ノズルにモータが固定されていないため、モータを駆動させるための配線を吸引ノズルの移動範囲に応じた長さで、しかも屈曲性能を考慮しながら引き回す必要がなくなり、引き回し作業を簡易化するとともに、吸引ノズルの総重量がモータの重量分だけ低減できるので、吸引ノズルを左右に駆動させるためのトルクを低減することができるようになる。
【発明の効果】
【０００７】
本発明の空気調和機は、吸引ノズルの吸引孔を設けたベルトを駆動させるモータを、吸引ノズルに固定しないため、モータの配線長を短くでき、引き回し作業を簡易化することができる。また、モータを吸引ノズルに固定する必要がないので、吸引ノズルを左右に駆動させるためのトルクを低減することができる。
【発明を実施するための最良の形態】
【０００８】
第１の発明は、熱交換器を通過する空気中に含まれる塵埃を捕獲するエアーフィルタと、前記エアーフィルタと対向する面に開口部を有するとともに前記エアーフィルタの表面に沿って移動可能な吸引ノズルと、前記吸引ノズルと連通する吸引装置により構成された塵埃除去装置を備えた空気調和機において、前記吸引ノズルは、前記開口部を覆いつつ前記開口部に沿って移動可能なベルトを備え、前記ベルトに、前記開口部と連通すると共に前記エアーフィルタで捕獲された塵埃を吸引する吸引孔を設け、前記ベルトを駆動するモータを前記吸引ノズル以外の部位に固定し、前記吸引ノズルが所定の位置まで移動したときに前記モータで前記ベルトを駆動するようにしたもので、吸引ノズルにモータが固定されていないため、モータを駆動させるための配線を吸引ノズルの移動範囲に応じた長さで、しかも屈曲性能を考慮しながら引き回す必要がなくなり、引き回し作業を簡易化するとともに、吸引ノズルの総重量がモータの重量分だけ低減できるので、吸引ノズルを左右に駆動させるためのトルクを低減することができるようになる。
【０００９】
第２の発明は、特に、第１の発明のモータは、回転駆動部を有し、吸引ノズル側にベルトを駆動する被回転駆動部を設け、前記回転駆動部と前記被回転駆動部のいずれか一方を多角形軸とし、他方を、前記多角形軸に着脱自在に嵌合する多角形穴としたもので、ベルト位置（吸引孔位置）をずらすことなく、回転駆動部と被回転駆動部とをスムーズに着脱することができる。
【００１０】
第３の発明は、特に、第２の発明の多角形穴の入口部にブラシをつけたもので、例えば、吸引ノズル側の被回転駆動部を多角形軸としたとき、吸引ノズルが左右移動中に、その多角形軸に埃などが付着しても、それが、モータ側の多角形穴に嵌合する時に、埃がブラシで払い落とされるので、両者の嵌合がスムーズにできる。また、吸引ノズル側の被回転駆動部を多角形穴とし、モータ側の回転駆動部を多角形軸とした場合でも、何らかの原因でモータ側の多角形軸に埃が付着した場合でも、同様に多角形軸と多角形穴が嵌合する時に、ブラシで埃が払い落とされるので、両者の嵌合がスムーズにできる。
【００１１】
第４の発明は、特に、第２の発明の多角形軸の上方にひさしを設けたもので、吸引ノズルの左右移動中或いは、吸引ノズルがモータ側に移動した際に、埃が落下しても、それがひさしで遮られ、多角形軸に埃などが付着することが無いので、多角形軸と多角形穴の嵌合がスムーズにできる。
【００１２】
以下、本発明の実施の形態について、図面を参照しながら説明する。なお、この実施の形態によって、本発明が限定されるものではない。
【００１３】
（実施の形態１）
図１は、本発明の第１の実施の形態における空気調和機の塵埃除去装置の構成の例を示した斜視図、図２は、同空気調和機の塵埃除去装置の吸引ノズルの構成の例を示した斜視図、図３は、同吸引ノズル内部のベルトの構成の例を示した斜視図である。
【００１４】
図１〜３において、本実施の形態における空気調和機の塵埃除去装置２４は、空気調和機に内蔵された熱交換器（図示せず）を通過する空気中に含まれる塵埃を捕獲するエアーフィルタ２５を清掃するもので、エアーフィルタ２５の上流側表面に沿って移動可能な吸
引ノズル１と、吸引装置２と、吸引ノズル１と吸引装置２とを連通するホース１２と、エアーフィルタ２５の右端に配されたモータ５とを備えている。モータ５には、その回転軸（図示せず）に連結され、後述のギヤ９の多角形軸４に着脱自在に嵌合する回転駆動部として多角形穴５ａを備えている。
【００１５】
１０は、モータ５に電力を供給するための配線である。なお、本実施の形態では、モータ５は、空気調和機本体（図示せず）に固定されているが、塵埃除去装置２４の非可動部位、すなわち吸引ノズル１以外の部位に設けても良い。
【００１６】
吸引ノズル１のエアーフィルタ２５と対向する面の長手方向には開口部（図示せず）が設けられ、その開口部を覆うと共に移動可能なベルト７が設けられている。ベルト７の側部には回転自在のギヤ９と嵌合する嵌合孔７ａが連設されている。また、ベルト７の一部には開口部と連通する吸引孔８が配されている。
【００１７】
ギヤ９には、モータ５の多角形穴５ａに着脱自在に嵌合する被回転駆動部として多角形軸４が一体に形成されている。
【００１８】
１９は、吸引ノズル１の多角形軸４の上方の部分に設けたひさしで、多角形軸４に塵埃が堆積するのを防止するためのものである。
【００１９】
以上のように構成された本実施の形態における空気調和機の塵埃除去装置２４で、エアーフィルタ２５を清掃する際の動作、作用は以下の通りである。
【００２０】
予めベルト７に設けた吸引孔８をエアーフィルタ２５の下端に位置させ、次に吸引ノズル１を右端に移動させると、一旦、ギヤ９の多角形軸４がモータ５の多角形穴５ａに嵌合する。ここで吸引装置２を動作させると共に、吸引ノズル１を図示しない駆動手段で左方向に移動させることにより、ギヤ９の多角形軸４がモータ５の多角形穴５ａより外れ、エアーフィルタ２５の下端の部分の塵埃が除去される。
【００２１】
そして吸引ノズル１がエアーフィルタ２５の左端に達したら、元の右端まで戻す。すると、ギヤ９の多角形軸４とモータ５の多角形穴５ａが再度嵌合するので、ここでモータ５を駆動して、ベルト７を、吸引孔８の開口高さ分だけ上方に移動させ、再び吸引ノズル１を左端まで移動させ、又右端まで戻す。これを繰り返すことにより、吸引ノズル１で、エアーフィルタ２５の全面を清掃することができる。
【００２２】
以上のように、本実施の形態によれば、吸引ノズル側の多角形軸４とモータ５側の多角形穴５ａとが着脱自在になっているので、モータ５を、動作時に移動する吸引ノズル１に固定することなく、ベルト７に設けた吸引孔８の位置を移動させることができると共に、モータ５の配線１０が、短く簡略化でき、屈曲による断線の心配も不要になった。
【００２３】
又、多角形軸４の上方にひさし１９を設けることによって、埃が多角形軸４の上に堆積することがないので、モータ５の多角形穴５ａとの着脱時に埃がひっかかる等の弊害を避けることができる。
【００２４】
また、上記実施の形態では、着脱可能なモータ５を右側に設置したが、左側に設置しても同様の効果を得ることができることは言うまでも無い。
【００２５】
（実施の形態２）
図４は、本発明の第２の実施の形態における空気調和機の塵埃除去装置の吸引ノズルとモータの着脱部を示した図である。上記第１の実施の形態における空気調和機の塵埃除去
装置と同一部分には同一符号を付してその説明を省略する。
【００２６】
本実施の形態と上記第１の実施の形態と異なる点は、図４に示すように、ギヤ９側の被回転駆動部として多角形軸４の代りに多角形穴１５を設け、モータ５の回転駆動部として、多角形穴５ａの代りに多角形軸１４を設け、多角形穴１５に対し、モータ５の多角形軸１４が着脱自在に嵌合するようにしたものである。
【００２７】
なお、第１の実施の形態では、ひさし１９を吸引ノズル１側に設けたが、本実施の形態のように、モータ５に多角形軸１４を設けたときは、モータ５側に、前記多角形軸１４を覆うようにひさし１９を設けても、同様の効果が得られることはいうまでもない。
【００２８】
（実施の形態３）
図５は、本発明の第３の実施の形態における空気調和機の塵埃除去装置の吸引ノズルの下部斜視図である。
【００２９】
本実施の形態は、図５に示すように、多角形穴１５の入口にブラシ１７を設けたもので、他の構成は、上記第２の実施の形態における空気調和機の塵埃除去装置と同一なので、同一部分には同一符号を付してその説明を省略する。
【００３０】
上記構成により、モータ５の多角形軸１４に埃が堆積しても、多角形軸１４と、吸引ノズル１側の多角形穴１５が嵌り合う時に、ブラシ１７で埃を掃い落としながら嵌りあうことができるので、多角形軸１４と多角形穴１５との嵌合が常にスムーズに行われる。
【００３１】
（実施の形態４）
図６は、本発明の第４の実施の形態における空気調和機の塵埃除去装置のモータの斜視図である。
【００３２】
本実施の形態は、図６に示すように、モータ５の多角形穴５ａの入口にブラシ１８を設けたもので、他の構成は、上記第１の実施の形態における空気調和機の塵埃除去装置と同一なので、同一部分には同一符号を付してその説明を省略する。
【００３３】
上記構成により、吸引ノズル１側の多角形軸４に埃が堆積しても、多角形軸４と、多角形穴５が嵌り合う時に、ブラシ１８で埃を掃い落としながら嵌りあうことができるので、多角形軸４と多角形穴５ａとの嵌合が常にスムーズに行われる。
【産業上の利用可能性】
【００３４】
以上のように本発明にかかる空気調和機は、モータの配線長を短くし、引き回し作業を簡易化すると共に、吸引ノズルを左右に駆動させるためのトルクを低減することができるもので、家庭用、業務用の各種空気調和機に適用できる。
【図面の簡単な説明】
【００３５】
【図１】本発明の実施の形態１における空気調和機の塵埃除去装置の構成の例を示した斜視図
【図２】同空気調和機の塵埃除去装置の吸引ノズルの構成の例を示した斜視図
【図３】同吸引ノズル内部のベルトの構成の例を示した斜視図
【図４】本発明の実施の形態２における空気調和機の塵埃除去装置の吸引ノズルとモータの着脱部を示した図
【図５】本発明の実施の形態３における空気調和機の塵埃除去装置の吸引ノズルの下部斜視図
【図６】本発明の実施の形態４における空気調和機の塵埃除去装置のモータの斜視図
【図７】従来の空気調和機の塵埃除去装置の斜視図
【符号の説明】
【００３６】
１  吸引ノズル
２  吸引装置
４  多角形軸（被回転駆動部）
５  モータ
５ａ  多角形穴（回転駆動部）
７  ベルト
８  吸引孔
９  ギヤ
１０  配線
１２  ホース
１４  多角形軸（回転駆動部）
１５  多角形穴（被回転駆動部）
１７、１８  ブラシ
１９  ひさし
２４  塵埃除去装置
２５  エアーフィルタ
【図１】
0004910995.tif 000002
【図２】
0004910995.tif 000003
【図３】
0004910995.tif 000004
【図４】
0004910995.tif 000005
【図５】
0004910995.tif 000006
【図６】
0004910995.tif 000007
【図７】
0004910995.tif 000008